(57)【要約】【課題】コードの上方出し姿勢及び下方出し姿勢の両方の姿勢で耳介に装着が可能なインナーイヤータイプであって、より多様な形状の耳介に対しても良好に装着が可能なヘッドホンを提供する。【解決手段】耳介(E)内に装着される本体部(1)と、本体部(1)から延出する延出部(2b)と本体部(1)から張り出した張出し部(2d)を有するブッシング(2)と、延出部(2b)の先端から導出されたコード(3)と、を備える。延出部(2b)はコード(3)の導出方向に沿って延在する。ブッシング(2)は延出部(2b)と張出し部(2d)とに亘って連続する外側面(2b1,2d1)を有する。本体部(1)が耳介(E)内に装着された場合に、外側面(2b1,2d1)のうち、張出し部(2d)に対応する箇所が耳介(E)に当接することにより保持される。【選択図】図２
2014045321.tif 000002
【特許請求の範囲】
【請求項１】
耳介内に装着される本体部と、
前記本体部から延出する延出部と前記本体部から張り出した張出し部を有するブッシングと、
前記延出部の先端から導出されたコードと、を備え、
前記延出部は前記コードの導出方向に沿って延在し、
前記ブッシングは前記延出部と前記張出し部とに亘って連続する外側面を有し、
前記本体部が耳介内に装着された場合に、前記外側面のうち、前記張出し部に対応する箇所が耳介に当接することにより保持されることを特徴とするヘッドホン。
【請求項２】
前記コードが珠間切痕を通るように装着された状態、前記コードが耳輪脚に沿うように装着された状態のいずれの状態においても、外耳道に向かって突出する筒部を有することを特徴とする請求項１に記載のヘッドホン。
【請求項３】
前記ブッシングは、前記外側面とは反対側の本体部の側面から突出する突出部をさらに有することを特徴とする請求項１又は２に記載のヘッドホン。
【請求項４】
前記本体部は、略六角形状を有していることを特徴とする請求項１〜３のいずれか１項に記載のヘッドホン。
【発明の詳細な説明】
【技術分野】
【０００１】
本発明は、ヘッドホンに係り、特に、本体部を耳介内に装着して使用するヘッドホンに関する。
【背景技術】
【０００２】
本体部を耳介内に装着して使用する、インナーイヤー型と称されるヘッドホンが知られている。
また、インナーイヤー型として、本体部から突出する筒部を有し、その筒部に柔軟なイヤーピースを装着した状態で、イヤーピース及び筒部の先端側を外耳道内に挿入すると共に本体部を耳介内に装着して使用するカナル型と称されるヘッドホンも広く普及している。
【０００３】
カナル型ではないインナーイヤー型では、スピーカユニットは通常本体部の内部に収容される。
一方、カナル型では、スピーカユニットが本体部の内部に収容されるタイプと、筒部の先端部に配設されるタイプと、の二つのタイプが知られている。
【０００４】
このようなインナーイヤー型ヘッドホンの内、カナル型であって、スピーカユニットが本体部の内部に収容されたタイプのヘッドホンの一例が、特許文献１に記載されている。
特許文献１に記載されたヘッドホンは、使用状態での姿勢が、本体部から引き出されるコードの引き出し方向が下方となる姿勢と上方となる姿勢とのいずれであっても、本体部を耳介内へ良好に装着できる形状を有するものである。
具体的には、コードの上方引き出し姿勢と下方引き出し姿勢とで、耳介内に収まる本体部の形状が大きく変わらないように、本体部の形状を略三角形状にすると共に一つの頂部からコードが導出されるものとし、主にその略三角形状のコードが導出されていない二つの頂部を耳介の内側の各部位に当接させることで、上方引き出し姿勢と下方引き出し姿勢との両方で良好な装着を可能とするものである。
【０００５】
従って、コードの下方引き出し姿勢と上方引き出し姿勢とのいずれか一方のみの姿勢で使用する従来のヘッドホンとは異なり、使用者の好みや使用状況（運動を伴うか等）に応じて、コードの上方引き出し姿勢又は下方引き出し姿勢のいずれかの姿勢を選択して装着することができるという利点を有する。
【先行技術文献】
【特許文献】
【０００６】
【特許文献１】特開２０１１−１０１２２４号公報
【発明の概要】
【発明が解決しようとする課題】
【０００７】
ところで、本体部１を装着する耳介の内側形状は個体差が極めて大きい。そのため、特許文献１に記載されたような、コードの引き出し方向が上方向となる姿勢と下方向となる姿勢とのいずれにおいても装着可能なヘッドホンは、耳介形状の個体差によらず、できるだけ多様な形状の耳介への装着が可能であることが望まれる。
このヘッドホンは装着時に本体部が耳甲介に収容され、下方引き出し姿勢においてコードは珠間切痕を通して下方へ引き出され、上方引き出し姿勢においてコードは耳輪脚の頭部側に沿って上方から耳輪の裏側へと引き出される。
従って、特に、耳甲介に対する珠間切痕と耳輪脚との相対位置の個体差に対して良好な装着ができる形態であると、より多様な形状の耳介への装着が可能となり、好ましい。
このように、より汎用性を高め、従来以上に多様な形状の耳介に対してもより良好に、かつ快適に装着できるヘッドホンの具現化が期待されている。
【０００８】
そこで、本発明が解決しようとする課題は、コードの上方出し姿勢及び下方出し姿勢の両方の姿勢で耳介に装着が可能なインナーイヤータイプであって、より多様な形状の耳介に対しても良好に装着が可能なヘッドホンを提供することにある。
【課題を解決するための手段】
【０００９】
上記の課題を解決するために、本発明は次の１）〜４）のいずれかの構成を有する。
１）  耳介(E)内に装着される本体部(1)と、
前記本体部(1)から延出する延出部(2b)と前記本体部(1)から張り出した張出し部(2d)を有するブッシング(2)と、
前記延出部(2b)の先端から導出されたコード(3)と、を備え、
前記延出部(2b)は前記コード(3)の導出方向に沿って延在し、
前記ブッシング(2)は前記延出部(2b)と前記張出し部(2d)とに亘って連続する外側面(2b1,2d1)を有し、
前記本体部(1)が耳介(E)内に装着された場合に、前記外側面(2b1,2d1)のうち、前記張出し部(2d)に対応する箇所が耳介(E)に当接することにより保持されることを特徴とするヘッドホン(51L)である。
２）  前記コード(3)が珠間切痕(E6)を通るように装着された状態、前記コード(3)が耳輪脚(E4)に沿うように装着された状態のいずれの状態においても、外耳道(E5)に向かって突出する筒部(1a1)を有することを特徴とする１）に記載のヘッドホン(51L)である。
３）  前記ブッシング(3)は、前記外側面(2d1)とは反対側の本体部の側面(12)から突出する突出部(2c)をさらに有することを特徴とする１）又は２）に記載のヘッドホン(51L)である。
４）  前記本体部(1)は、略六角形状を有していることを特徴とする１）〜３）のいずれか一つに記載のヘッドホン(51L)である。
【発明の効果】
【００１０】
本発明によれば、より多様な形状の耳介に対しても良好に装着が可能になる、という効果が得られる。
【図面の簡単な説明】
【００１１】
【図１】本発明のヘッドホンの実施例を示す斜視図である。
【図２】本発明のヘッドホンの実施例を示す背面図である。
【図３】本発明のヘッドホンの実施例を説明するための斜視的分解図である。
【図４】本発明のヘッドホンの実施例におけるブッシングを説明するための三面図である。
【図５】本発明のヘッドホンの実施例を説明するための模式的三面図である。
【図６】本発明のヘッドホンの実施例を、耳介にコード下方引き出し姿勢で装着した状態を説明する図である。
【図７】本発明のヘッドホンの実施例を、耳介にコード上方引き出し姿勢で装着した状態を説明する図である。
【図８】ヘッドホンの耳介への装着について説明するための図である。
【発明を実施するための形態】
【００１２】
本発明の実施の形態におけるヘッドホンを、好ましい実施例により図１〜図８を用いて説明する。
【００１３】
まず、図１〜図５を参照して、実施例のヘッドホン５１Ｌの構成について詳述する。
図１は、実施例のヘッドホン５１Ｌの外観を示す斜視図であり、図２は、ヘッドホン５１Ｌの背面図であり、図３は、ヘッドホン５１Ｌの斜視的分解図であり、図４は、ヘッドホン５１Ｌに用いられるブッシング２の部品図であり、図５（ａ）〜（ｃ）は、ヘッドホン５１Ｌの外観構成を模式的に示した三面図であり、図５（ａ）は、背面図であり、図２を模式化した図である。図５（ｂ）は、後方側側面図であり、図５（ｃ）は上方側側面図である。
【００１４】
ヘッドホン５１Ｌは、本体部１を左耳の耳介内に装着して使用する左耳装着用である。図１には、理解容易のため、左耳に装着した状態で頭部の前後方向を示してある。
右耳装着用のヘッドホン５１Ｒは、図２においてＹ軸に対して左右対称となる同一構造のものであるから、以下、ヘッドホン５１Ｌを代表として説明する。
【００１５】
ヘッドホン５１Ｌは、Ｆカバー１ａとＲカバー１ｂとが組み合わされて溶着又は接着等で一体化された本体部１と、環状に形成された基部２ａ及び基部２ａから概ねその接線方向又はその接線方向に平行に延出する延出部２ｂを有するブッシング２と、ブッシング２の延出部２ｂの先端部から外部に導出されるコード３と、を有している。
Ｆカバー１ａ及びＲカバー１ｂは、熱可塑性樹脂で形成されており、具体例はＡＢＳ（アクリロニトリルブタジエンスチレン）樹脂、ＰＣ（ポリカーボネート）樹脂である。
【００１６】
Ｆカバー１ａには、図２において紙面反対側に突出する筒部１ａ１が形成されている。筒部１ａ１には、着脱自在にイヤーピース４が取り付けられる。
イヤーピース４は、ヘッドホン５１Ｌの使用時に外耳道Ｅ５の内壁に密着するように柔軟性を有する材料で形成されている。具体例はシリコーンゴムである。
【００１７】
Ｆカバー１ａとＲカバー１ｂとは、溶着又は接着により、本体部１として一体化される。
本体部１は、ブッシング２の基部２ａを、その基部２ａの外周面とＦカバー１ａ及びＲカバー１ｂの内面とを凹凸係合させつつ挟み込むことで内部に収容している。
また、本体部１は、スピーカユニットＳＰ及び弾性素材のダンパ５を挟持するようにして内部に収容している。ダンパ５は、、例えば、ウレタンフォームやゴムなどで形成され、スピーカユニットＳＰのケースに密着するように配設されている。
これにより、スピーカユニットＳＰはＦカバー１ａとの間に隙間が生じないように収容され、スピーカユニットＳＰから出力された音声は、筒部１ａ１を介して外部に放出されて使用者に対し高品位の再生音を提供することができる。
筒部１ａ１の先端開口部には、その開口を覆うように音質調整のためのフィルタ１ａ２が取り付けられている。
【００１８】
ブッシング２の延出部２ｂにおける貫通孔２ｈ（図４参照）に挿通されたコード３は、一端側が本体部１内でスピーカユニットＳＰの端子に電気的に接続され、外部に延出した他端側が例えば再生装置等に接続するためのプラグに加工されている。本体部１内で、コード３には、抜け防止等のための結び玉３ａが形成されている。図３では結び玉３ａは簡略化して描かれている。
【００１９】
スピーカユニットＳＰの振動板（図示せず）の駆動軸線ＣＬ１と筒部１ａ１の中心軸線ＣＬ２とは、平行に離隔又は一致している。このヘッドホン５１Ｌでは、両軸線ＣＬ１，ＣＬ２は一致している。
【００２０】
次に、本体部１の外形形状及びブッシング２の形状について詳述する。
本体部１は、中心軸線ＣＬ２に概ね直交する平面の一部である背面部１１と、背面部１１に連接し、中心軸線ＣＬ２に沿って延在する前側面部１２，後側面部１３，及び四つの傾斜面部１６〜１９を有し、図２に示される背面視において、その上下方向を長手とする六角形の外形を呈して形成されている。例えば、本体部１の上下方向の長さをＨとし、幅をＷとすると、
Ｗ＜Ｈ  ・・・（式１）
となっている。
【００２１】
より詳しくは、本体部１は、図２の左方側に平坦な部分として形成された前側面部１２と、右方側に概ね平坦な部分として形成された後側面部１３と、上下方向にそれぞれ突出した上頂部１４及び下頂部１５と、上頂部１４と前側面部１２及び後側面部１３とをそれぞれ連結する傾斜面部１６及び傾斜面部１７と、下頂部１５と後側面部１３及び前側面部１２とをそれぞれ連結する傾斜面部１８及び傾斜面部１９と、により形成される六角形（立体的には概ね六角柱形）を呈する。
【００２２】
一方、図４は、ブッシング２の形状を説明するための三面図であり、図４（ａ）が背面図、図４（ｂ）が上面図、図４（ｃ）が側面図である。
上述のように、ブッシング２は、環状の基部２ａ及び延出部２ｂを有している。
図４（ａ）に示されるように、基部２ａは、概ね円形の開口部２ａ１を有しており、Ｆカバー１ａ及びＲカバー１ｂとの組み付けにおいて、開口部２ａ１の中心Ｃが中心軸線ＣＬ２と一致するようになっている。
【００２３】
延出部２ｂは、コード３を挿通する貫通孔２ｈを有し、横断面の外形形状が、概ね矩形を呈するように形成されている。より詳しくは、延出部２ｂは、外側面２ｂ１と内側面２ｂ３とを互いに反対方向を向く対向側面として、先端に向かうに従って徐々に先細りとなる四角筒状に形成されている。
四角筒状の角部には、耳介への接触も考慮して、Ｃ面取り又はフィレットが施されている。
【００２４】
ここで、図４（ａ）に示されるように、中心Ｃを通る直交二軸としてＸ軸，Ｙ軸を設定する。具体的には、Ｘ軸及びＹ軸を、外側面２ｂ１がＸ軸の（＋）領域において、Ｙ軸に対し距離Ｄ１だけ離隔し、かつＸ軸と直交する面となるように設定する。
内側面２ｂ３は、Ｘ（＋），Ｙ（−）領域において、Ｘ−Ｙ平面に直交する面（紙面に直交する面）として形成されている。また、内側面２ｂ３は、図２（ａ）において、Ｘ軸から離れる程、Ｙ軸からも離れる傾斜面として形成されている。
また、延出部２ｂの先端の端面２ｂ２は、Ｙ軸に直交、すなわち、外側面２ｂ１と直交する面として形成されている。
【００２５】
内側面２ｂ３と端面２ｂ２とを、面取り及びフィレットがないものとしてそれぞれ延長して連結させた位置ＰＴ１は、Ｙ軸から（＋）側に距離Ｄ２だけ離れた位置にある。すなわち、
０＜Ｄ２  ・・・（式２）
となっている。
【００２６】
図２において、本体部１の上頂部１４及び下頂部１５は、上述のように設定されたＹ軸が通る位置に設けられている。
基部２ａは、Ｙ軸に対する前方側の縁部において、前側面２ｃ１を有して突出する突出部２ｃが形成されている。
また、Ｙ軸に対する後方側の縁部において、後側面２ｄ１を有して張り出した張出し部２ｄが形成されている。
張出し部２ｄは、延出部２ｂと同一部材のブッシング２で形成され、本体部１から張り出して露出する部分において延出部２ｂと連続した一体形状で形成されている。
従って、張出し部２ｄの後側面２ｄ１と、延出部２ｂの外側面２ｂ１とは、連続した面(ブッシング２の外側面）として形成されている。ここで連続した面とは、図１及び図２に示されるような同一平面上に段差なく形成されるもの、段差の有無によらず平面同士，曲面同士，又は平面と曲面とで形成されているもの、境界部分に溝や凸条等が形成されているものであっても、後側面２ｄ１と外側面２ｂ１とが同じ部材に形成された面であると視認把握されるもの、を含む。
また、張出し部２ｄの範囲は、後述する位置ＰＴ２よりも上方側の範囲である。
すなわち、ブッシング２における、突出部２ｃと、延出部２ｂの大部分及び張出し部２ｄと、は、本体部１から突出して外部に露出するそれぞれ可視部ＫＳ１と、可視部ＫＳ２と、になる。
次に、この可視部ＫＳ１，ＫＳ２について、図１及び図２を主に参照して詳述する。
【００２７】
突出部２ｃは、可視部ＫＳ１として前側面部１２から前方に距離Ｄ３だけ突出し、外部に露出して視認可能となっている。
一方、張出し部２ｄは、Ｙ軸を含んで紙面に直交する面に対し、突出部２ｃとほぼ面対称となる形状で後側面部１３から後方に距離Ｄ４だけ突出している。
さらに、張出し部２ｄは、下方側で延出部２ｂに連続している。
【００２８】
延出部２ｂは、その一部が本体部１に覆われ、概ね本体部１の傾斜面部１８よりも下方の部分が外部に露出して視認可能となっている。
より詳しくは、延出部２ｂにおける外部に露出した部分において、内側面２ｂ３の、位置ＰＴ１から上やや斜め前方に向け平面的に形成された平面部２ｂ３ａと、傾斜面部１８の近傍位置において平面部２ｂ３ａと滑らかに接続すると共に凹んだ曲面的に形成されたフィレット部２ｂ３ｂと、が外部から視認され得る。
【００２９】
平面部２ｂ３ａを上方に仮想延長した場合の、傾斜面部１８と交わる位置ＰＴ２は、Ｘ軸の（＋）側にあってＹ軸から距離Ｄ５の位置にある。ここで、
０≦Ｄ５＜Ｄ２  ・・・（式３）
となっている。
突出部２ｃの上端位置は、Ｙ軸の（＋）側であってＸ軸から距離Ｄ６の位置に設定されている。
可視部ＫＳ２の上端位置、すなわち、張出し部２ｄの上端位置は、Ｙ軸の（＋）側であってＸ軸から距離Ｄ７の位置に設定されている。
図２に示された例では、距離Ｄ６と距離Ｄ７とが等しくなっている。
【００３０】
また、可視部ＫＳ１及び可視部ＫＳ２は、中心軸線ＣＬ２方向において、それぞれ前側面部１２及び後側面部１３の中央部分の一部として突出形成されている。
例えば、図１において、可視部ＫＳ２の幅を幅Ｄ１０とし、後側面部１３の幅を幅Ｌとすると、可視部ＫＳ２は、背面部１１よりも筒部１ａ１側に向け距離Ｄ９だけ寄った位置から形成され、
Ｄ９＋Ｄ１０＜Ｌ  ・・・（式４）
となっている。
可視部ＫＳ１についても同様である。
【００３１】
また、可視部ＫＳ２のＹ軸方向については、可視部ＫＳ２の上端位置ＰＴ３から下端位置ＰＴ４までの距離を距離Ｈ１とし、上端位置ＰＴ３から位置ＰＴ２までの距離を距離Ｈ２とすると、
Ｈ２≦Ｈ１／２  ・・・（式５）
となっている。
ブッシング２は、シリコーンゴムのような柔軟性を有する材料で形成されているので、この（式５）を満たすことにより、コード３の引き出し方向が図２の矢印ＤＲ１のように前後方向にずれても、容易に変形してその引き出し方向に追従するようになっている。
【００３２】
上述のように、ヘッドホン５１Ｌは、本体部１が耳介Ｅ（この例では右耳の耳介）内に装着して使用されるタイプのヘッドホンであり、インナーイヤー型と称される。
ヘッドホン５１Ｌは、筒部１ａ１を有するカナル型であるが、非カナル型であってもよい。
【００３３】
図５を主に参照して説明すると、上述のようにヘッドホン５１Ｌは、耳介Ｅに装着した状態において、延出部２ｂは、本体部１の中央となる中心軸線ＣＬ２の位置から頭部ＨＤに沿った一方向（コード３の下方引き出し姿勢では後方向）に離隔し、かつ頭部ＨＤに沿って延びる一軸線である延在方向線ＰＳ上に延出するよう形成されている。
更に、延出部２ｂは、本体部１の上記一方向側の側面である後側面部１３から外方（コード３の下方引き出し姿勢では後方向）へ突出して形成されている。
また、筒部１ａ１は、図５（ａ）に示される延在方向線ＰＳを上下方向とした姿勢において、本体部１の中央となる中心軸線ＣＬ２の位置を通り上下に延びる軸線ＹＬに対し、後方側となる領域にのみ形成されている。
また、ヘッドホン５１Ｌは、本体部１を耳介Ｅに装着した際に、その装着姿勢がコード３の下方引き出し姿勢及び上方引き出し姿勢のいずれであっても、筒部１ａ１が本体部１から外耳道Ｅ５（図６〜図８参照）に向けて突出するように形成されている。
【００３４】
次に、ヘッドホン５１Ｌを、耳介に装着した状態について、図６及び図７を参照して詳述する。
図６は、耳介Ｅに、ヘッドホン５１Ｌを、コード３の下向き引き出し姿勢で装着した状態を示す図である。
図７は、耳介Ｅに、ヘッドホン５１Ｌを、コード３の上向き引き出し姿勢で装着した状態を示す図である。
図６及び図７において、耳介Ｅの主要各部を次の名称で呼ぶ。すなわち、Ｅ１：耳珠，Ｅ２：対珠，Ｅ３：耳甲介，Ｅ４：耳輪脚，Ｅ５：外耳道，Ｅ６：珠間切痕，及びＥ９：耳輪、である。
【００３５】
まず、下向き引き出し姿勢が示される図６において、ヘッドホン５１Ｌは、外耳道Ｅ５内にイヤーピース４及び筒部１ａ１の先端側が挿入されると共にブッシング２の延出部２ｂが珠間切痕Ｅ６に入り込んだ姿勢で装着される。
この姿勢で、可視部ＫＳ２の主に後側面２ｄ１が、耳介Ｅの対珠Ｅ２から耳甲介Ｅ３の後方側に掛けて立ち上がる内壁Ｅ７に、ほぼ面当たりの状態で当接する。
また、前側面部１２の下方側の傾斜面部１９が、耳珠Ｅ１の裏側で立ち上がる内側の壁Ｅ１ａにほぼ面当たりの状態で当接する。
また、上頂部１４が、耳甲介Ｅ３の上方で立ち上がる内壁Ｅ８に当接する。
【００３６】
このように、本体部１は、内壁Ｅ７と壁Ｅ１ａと内壁Ｅ８とに当接してほぼ三点支持で耳介Ｅ内に収容され、かつ外耳道Ｅ５まわりの本体部１の回動が、珠間切痕Ｅ６に延出部２ｂが進入していることで規制される。これにより、ヘッドホン５１Ｌは、下向き引き出し姿勢において、耳介Ｅ内に、安定した収容姿勢で良好に装着されるようになっている。
【００３７】
また、特に、ブッシング２が柔軟性を有する材料で形成されているので、可視部ＫＳ２は内壁Ｅ７に対して軟らかく当接し、装着感触も良好となる。
更に、珠間切痕Ｅ６に進入した延出部２ｂも、柔軟に変形可能であるから、本体部１の中央となる中心軸線ＣＬ２を基準として珠間切痕Ｅ６の位置が前後にずれていても（矢印ＤＲ２方向）、延出部２ｂが容易に変形して良好に装着される。
【００３８】
次に、上向き引き出し姿勢の場合は、図７に示されるように、ヘッドホン５１Ｌは、外耳道Ｅ５内に、イヤーピース４及び筒部１ａ１の先端側が挿入されると共に、ブッシング２の延出部２ｂからコード３が、耳輪脚Ｅ４の左側縁に沿って上方に引き出されたあと耳輪Ｅ９の裏側を巻いて頭部後方側から下方へ導出される姿勢で装着される。
この姿勢で、可視部ＫＳ２の主に後側面２ｄ１が、耳珠Ｅ１の裏側で立ち上がる内側の壁Ｅ１ａにほぼ面当たりの状態で当接する。
また、上頂部１４が、対珠Ｅ２から耳甲介Ｅ３の後方側に掛けて立ち上がる内壁Ｅ７に、当接する。
また、傾斜面部１９及び可視部ＫＳ１が、耳甲介Ｅ３の上方で立ち上がる内壁Ｅ８に当接する。
【００３９】
このように、本体部は、壁Ｅ１ａと内壁Ｅ７と内壁Ｅ８とに当接してほぼ三点支持で耳介Ｅ内に収容され、かつ外耳道Ｅ５まわりの本体部１の回動の内、少なくとも図７における時計回り方向の回転が、耳輪脚Ｅ４によりコード３を介して規制される。これにより、ヘッドホン５１Ｌは、上向き引き出し姿勢においても、耳介Ｅ内に、安定した収容姿勢で良好に装着されるようになっている。
【００４０】
また、特に、ブッシング２が柔軟性を有する材料で形成されているので、可視部ＫＳ２は壁Ｅ１ａに対して軟らかく当接し、装着感触も良好となる。
更に、コード３が耳輪脚Ｅ４に沿うように引き出される姿勢とされた延出部２ｂも柔軟に変形可能であるから、コード３が耳輪Ｅ９の裏側を引き回して掛けられることで図７の矢印ＤＲ３方向に引っ張られても、容易に変形して良好な装着感触で装着することができる。図７において、延出部２ｂはコード３が引っ張られて矢印ＤＲ３Ａ方向に少し変形した状態が描画されている。
【００４１】
上述のように、ヘッドホン５１Ｌは、コード３の上方引き出し姿勢においても、下方引き出し姿勢においても、本体部１が耳介Ｅの内側に三点支持されると共に、延出部２ｂが本体部１の回動を規制するので、安定した装着が可能である。
また、延出部２ｂがブッシング２の一部として柔軟性を有して形成されているので、外耳道Ｅ５を基準とした珠間切痕Ｅ６や耳輪脚Ｅ４の位置がずれていても、容易に変形してそれらの位置に適合した装着が可能となっている。
これにより、ヘッドホン５１Ｌは、より多様な形状の耳介に対しても、良好に装着が可能である。
【００４２】
次に、図８を参照して、外耳道Ｅ５に対する延出部２ｂの好ましい配置について説明する。図８は、延出部２ｂが本体部１とは独立分離しているものとして、延出部２ｂを珠間切痕Ｅ６に進入させた際に姿勢が安定するコード３の延在方向線ＰＳ１と、延出部２ｂを耳輪脚Ｅ４に沿って配置した際に耳輪脚Ｅ４の裏側を通したコード３の姿勢が安定するその延在方向線ＰＳ２と、を説明するための図である。図８には、耳珠Ｅ１，対珠Ｅ２，耳輪脚Ｅ４，及び外耳道Ｅ５などが示されている。
【００４３】
図８に示されるように、コード３の上方向出し姿勢及び下方向出し姿勢で最も安定するそれぞれの延在方向線ＰＳ１，ＰＳ２は、外耳道Ｅ５の中心を通らず、引き出し方向に対し外耳道Ｅ５を右手に見る側にそれぞれ距離Ｄ８，Ｄ９だけ偏倚している。
すなわち、外耳道Ｅ５を円形とみなしてその中心ＣＥに本体部１の中心軸線ＣＬ２を合致させた際に、本体部１に対し延出部２ｂの延在方向線が中心ＣＥを通らずに離隔した位置にあるのが好ましい。
【００４４】
ヘッドホン５１Ｌでは（式４）を成立させると共に、図２に示されるコード３の延在方向線ＰＳを中心軸線ＣＬ２からＸ軸方向（＋）側に距離Ｄ１１だけ離れた位置に設定している。
これにより、ヘッドホン５１Ｌは、上方出し姿勢と下方出し姿勢との両方において、外耳道Ｅ５の位置に対するコード３の延在方向がより最適化されている。
そのため、ヘッドホン５１Ｌの耳介Ｅに対する装着において、特にコード３の根本部分の装着感が向上し、長時間であっても無理なくより快適に装着することが可能になっている。
【００４５】
本発明の実施例は、上述した構成に限定されるものではなく、本発明の要旨を逸脱しない範囲において変形例としてもよいのは言うまでもない。
【００４６】
可視部ＫＳ１は、可視部ＫＳ１と共にブッシング２で形成されていなくてもよく、別部品であってもよい。
本体部１は、背面視で六角形に限定されるものではない。
可視部ＫＳ２は、後側面部１３の一部が突出したものに限定されない。例えば、背面部１１又は傾斜面部１７に跨るように突出形成されていてもよい。
筒部１ａ１の中心軸線ＣＬ２は、Ｘ−Ｙ平面に対して厳密に直交しているものに限らない。概ね直交していれば充分であり、更には、コードの上方向引き出し姿勢と下方向引き出し姿勢との装着に支障がない範囲であれば傾斜していてもよい。
本体部１が非対称形状等で中心軸線ＣＬ２の位置とすべき中央が不明瞭な場合は、本体部１のＸ軸方向の幅ＷのセンタとＹ軸方向の高さＨのセンタとの交点を中央として中心軸線ＣＬ２の位置とすることができる。
【符号の説明】
【００４７】
１  本体部
１ａ  Ｆカバー、    １ａ１  筒部、    １ａ２  フィルタ
１ｂ  Ｒカバー
２  ブッシング
２ａ  基部、    ２ａ１  開口部
２ｂ  延出部、    ２ｂ１  外側面、      ２ｂ２  端面
２ｂ３  内側面、    ２ｂ３ａ  平面部、    ２ｂ３ｂ  フィレット部
２ｃ  突出部、    ２ｃ１  前側面
２ｄ  張出し部、    ２ｄ１  後側面
２ｈ  貫通孔
３  コード、    ３ａ  結び玉
４  イヤーピース
５  ダンパ
１１  背面部
１２  前側面部
１３  後側面部
１４  上頂部
１５  下頂部
１６〜１９  傾斜面部
５１Ｌ，５１Ｒ  ヘッドホン
Ｃ，ＣＥ  中心
ＣＬ１  駆動軸線、    ＣＬ２  中心軸線
Ｄ１〜Ｄ９，Ｄ１１，Ｈ１，Ｈ２  距離、    Ｄ１０，Ｌ，Ｗ  幅、    Ｈ  長さ
Ｅ  耳介
Ｅ１  耳珠、    Ｅ１ａ  壁、    Ｅ２  対珠、    Ｅ３  耳甲介、    Ｅ４  耳輪脚
Ｅ５  外耳道、    Ｅ６  珠間切痕、    Ｅ７，Ｅ８  内壁、    Ｅ９  耳輪
ＫＳ１，ＫＳ２  可視部
ＰＳ，ＰＳ１，ＰＳ２  延在方向線
ＰＴ１，ＰＴ２  位置、    ＰＴ３  上端位置、    ＰＴ４  下端位置
ＳＰ  スピーカユニット
【図１】
2014045321.tif 000003
【図２】
2014045321.tif 000004
【図３】
2014045321.tif 000005
【図４】
2014045321.tif 000006
【図５】
2014045321.tif 000007
【図６】
2014045321.tif 000008
【図７】
2014045321.tif 000009
【図８】
2014045321.tif 000010